(57)【要約】【課題】本発明の課題は、機種やバージョンおよびそれらに対応する指令形式などが登録されていない空気調和装置が通信線を介して接続された場合であってもその空気調和装置が誤動作する確率を極めて低くすることができる空気調和システムを提供することにある。【解決手段】空気調和システム１は、複数の空気調和装置６２ａ，６２ｂ，６２ｃ，６３ａ，６４ａ、情報受信部２５、識別情報リスト記憶部２３、第１情報送信部２５、および指令情報送信停止部２１を備える。空気調和装置には、識別情報が記憶される。情報受信部は、空気調和装置から識別情報を受信する。識別情報リスト記憶部には、識別情報リストＴａが記憶される。第１情報送信部は、空気調和装置に対して指令情報を送信する。指令情報送信停止部は、情報受信部において未登録識別情報が受信された場合、第１情報送信部に対して未登録空気調和装置への特定指令情報の送信を停止させる。【選択図】図１０
2008111604.tif 000002
【特許請求の範囲】
【請求項１】
識別情報を記憶する識別情報記憶部（６２４ｃ）を有する複数の空気調和装置（６２ａ，６２ｂ，６２ｃ，６３ａ，６４ａ）と、
前記空気調和装置から前記識別情報を受信する情報受信部（２５）と、
前記識別情報のリストである識別情報リスト（Ｔａ）を記憶する識別情報リスト記憶部（２３）と、
前記空気調和装置に対して指令情報を送信する第１情報送信部（２５）と、
前記情報受信部において前記識別情報リストに存在しない識別情報である未登録識別情報が受信された場合、前記第１情報送信部に対して前記未登録識別情報に対応する空気調和装置である未登録空気調和装置への特定の前記指令情報である特定指令情報の送信を停止させる指令情報送信停止部（２１）と
を備える、空気調和システム（１）。
【請求項２】
前記識別情報と前記識別情報に対応する前記空気調和装置が発信する複数種類の空調データのデータ長またはデータ形式とを関連付けるテーブルである空調データ長等テーブル（Ｔｍｌ，Ｔｍｆ）を記憶する空調データ長等テーブル記憶部（２３）と、
前記情報受信部において前記未登録識別情報が受信された場合、前記未登録空気調和装置から発信される前記複数種類の空調データのデータ長またはデータ形式を前記空調データ長等テーブルに照合するデータ長等照合部（２２）と
をさらに備え、
前記指令情報送信停止部は、前記情報受信部において前記未登録識別情報が受信され且つ前記データ長等照合部において前記未登録空気調和装置から発信される前記複数種類の空調データのデータ長またはデータ形式が前記空調データ長等テーブルで照合されない場合に、前記第１情報送信部に対して前記未登録空気調和装置への前記特定指令情報の送信を停止させる、
請求項１に記載の空気調和システム。
【請求項３】
前記指令情報送信停止部は、前記情報受信部において前記未登録識別情報が受信され且つ前記データ長等照合部において前記未登録空気調和装置から発信される前記複数種類の空調データ全てのデータ長またはデータ形式が前記空調データ長等テーブルで照合されない場合に、前記第１情報送信部に対して前記未登録空気調和装置への前記特定指令情報の送信を停止させる、
請求項２に記載の空気調和システム。
【請求項４】
前記指令情報送信停止部は、前記情報受信部において前記未登録識別情報が受信され且つ前記データ長等照合部において前記未登録空気調和装置から発信される前記複数種類の空調データのうち所定数以上の空調データのデータ長またはデータ形式が前記空調データ長等テーブルで照合されない場合に、前記第１情報送信部に対して前記未登録空気調和装置への前記特定指令情報の送信を停止させる、
請求項２に記載の空気調和システム。
【請求項５】
前記識別情報と前記識別情報に対応する空気調和装置が前記指令情報を受信したときの反応内容の情報とを関連付けるテーブルである反応内容情報テーブル（Ｔｍｒ）を記憶する反応内容情報テーブル記憶部（２３）と、
前記情報受信部において前記未登録識別情報が受信された場合、前記未登録空気調和装置に対して複数種類の指令情報を送信する第２情報送信部（２５）と、
前記第２情報送信部から送信される複数種類の指令情報に対する前記未登録空気調和装置の反応を検知する反応検知部（２２）と、
前記反応検知部において検知される前記未登録空気調和装置の反応内容の情報を前記反応内容情報テーブルに照合する反応内容情報照合部（２２）と
をさらに備え、
前記指令情報送信停止部は、前記情報受信部において前記未登録識別情報が受信され且つ前記反応内容情報照合部において前記複数種類の指令情報に対する前記未登録空気調和装置の反応内容情報が前記反応内容情報テーブルで照合されない場合に、前記第１情報送信部に対して前記未登録空気調和装置への前記特定指令情報の送信を停止させる、
請求項１に記載の空気調和システム。
【請求項６】
前記指令情報送信停止部は、前記情報受信部において前記未登録識別情報が受信され且つ前記反応内容情報照合部において前記複数種類の指令情報に対する前記未登録空気調和装置の反応内容情報全てが前記反応内容情報テーブルで照合されない場合に、前記第１情報送信部に対して前記未登録空気調和装置への前記特定指令情報の送信を停止させる、
請求項５に記載の空気調和システム。
【請求項７】
前記指令情報送信停止部は、前記情報受信部において前記未登録識別情報が受信され且つ前記反応内容情報照合部において前記複数種類の指令情報のうち所定数以上の指令情報に対する前記未登録空気調和装置の反応内容情報が前記反応内容情報テーブルで照合されない場合に、前記第１情報送信部に対して前記未登録空気調和装置への前記特定指令情報の送信を停止させる、
請求項５に記載の空気調和システム。
【請求項８】
複数の空気調和装置（６２ａ，６２ｂ，６２ｃ，６３ａ，６４ａ）から識別情報を受信する情報受信部（２５）と、
前記識別情報のリストである識別情報リスト（Ｔａ）を記憶する識別情報リスト記憶部（２３）と、
前記空気調和装置に対して指令情報を送信する第１情報送信部（２５）と、
前記情報受信部において前記識別情報リストに存在しない識別情報である未登録識別情報が受信された場合、前記第１情報送信部に対して前記未登録識別情報に対応する空気調和装置である未登録空気調和装置への特定の前記指令情報である特定指令情報の送信を停止させる指令情報送信停止部（２１）と
を備える、空気管理装置（２０）。
【発明の詳細な説明】
【技術分野】
【０００１】
本発明は、機種やバージョンおよびそれらに対応する指令形式などが登録されていない空気調和装置が通信線を介して接続された場合であってもその空気調和装置が誤動作する確率を極めて低くすることができる空気調和システム及び空調管理装置に関する。
【背景技術】
【０００２】
従来、機種の異なる複数の空気調和装置が１台の空調制御装置に通信接続された空気調和システムが当業者に広く知られている（例えば、特許文献１参照）。このような空気調和システムでは、各空気調和装置に機種情報などの識別情報が記憶させられると共に空調制御装置に機種情報リストが記憶させられており、その識別情報および識別情報リストにより空調制御装置から各空気調和装置に適切な指令情報が送信されるようになっている。
【特許文献１】特開平１０−１２２６３２号公報
【発明の開示】
【発明が解決しようとする課題】
【０００３】
ところで、このような空調システムの通信プロトコルに対応しており且つ機種やバージョンが更新された空気調和装置などを、機種やバージョンおよびそれらに対応する指令形式などを登録することなくこのような空気調和システムに通信線を介して接続してしまうと、類似の指令情報を受信したとき等にその空気調和装置が希に誤動作することがある。
【０００４】
本発明の課題は、機種やバージョンおよびそれらに対応する指令形式などが登録されていない空気調和装置が通信線を介して接続された場合であってもその空気調和装置が誤動作する確率を極めて低くすることができる空気調和システム及び空調管理装置を提供することにある。
【課題を解決するための手段】
【０００５】
第１発明に係る空気調和システムは、複数の空気調和装置、情報受信部、識別情報リスト記憶部、第１情報送信部、および指令情報送信停止部を備える。空気調和装置は、識別情報記憶部を有する。識別情報記憶部には、識別情報が記憶される。なお、ここにいう「識別情報」とは、例えば、機種情報やバージョン情報などである。情報受信部は、空気調和装置から識別情報を受信する。識別情報リスト記憶部には、識別情報リストが記憶される。なお、ここにいう「識別情報リスト」とは、識別情報のリストである。第１情報送信部は、空気調和装置に対して指令情報を送信する。指令情報送信停止部は、情報受信部において未登録識別情報が受信された場合、第１情報送信部に対して未登録空気調和装置への特定指令情報の送信を停止させる。なお、ここにいう「未登録識別情報」とは、識別情報リストに存在しない識別情報である。また、ここにいう「未登録空気調和装置」とは、未登録識別情報に対応する空気調和装置、すなわち、未登録識別情報を送信してきた空気調和装置である。また、ここにいう「特定指令情報」とは、指令情報のうちの特定の指令情報であって、例えば、通常運転時に発せられる指令情報などであり、機種間やバージョン間で相違のある指令情報などである。ちなみに、非特定指令情報とは、例えば、非常指令情報など、全機種に対応する指令情報であり、機種間やバージョン間で相違のない指令情報などである。
【０００６】
この空気調和システムでは、情報受信部において未登録識別情報が受信された場合、指令情報送信停止部が第１情報送信部に対して未登録空気調和装置への特定指令情報の送信を停止させる。このため、この空気調和システムでは、機種やバージョンおよびそれらに対応する指令形式などが登録されていない空気調和装置が通信線を介して接続された場合であってもその空気調和装置が誤動作する確率を極めて低くすることができる。
【０００７】
第２発明に係る空気調和システムは、第１発明に係る空気調和システムであって、空調データ長等テーブル記憶部およびデータ長等照合部をさらに備える。空調データ長等テーブル記憶部には、空調データ長等テーブルが記憶される。空調データ長等テーブルでは、識別情報と、識別情報に対応する空気調和装置が発信する複数種類の空調データのデータ長またはデータ形式とが関連付けられている。データ長等照合部は、情報受信部において未登録識別情報が受信された場合、未登録空気調和装置から発信される複数種類の空調データのデータ長またはデータ形式を空調データ長等テーブルに照合する。そして、指令情報送信停止部は、情報受信部において未登録識別情報が受信され且つデータ長等照合部において未登録空気調和装置から発信される複数種類の空調データのデータ長またはデータ形式が空調データ長等テーブルで照合されない場合に、第１情報送信部に対して未登録空気調和装置への特定指令情報の送信を停止させる。なお、ここにいう「照合される」という文言には、全種類の空調データのデータ長またはデータ形式が照合される場合、および複数種類の空調データのうち所定数以上の空調データのデータ長またはデータ形式が照合される場合が含まれる。
【０００８】
この空気調和システムでは、情報受信部において未登録識別情報が受信された場合、データ長等照合部が未登録空気調和装置から発信される複数種類の空調データのデータ長またはデータ形式を空調データ長等テーブルに照合する。そして、情報受信部において未登録識別情報が受信され且つデータ長等照合部において未登録空気調和装置から発信される複数種類の空調データのデータ長またはデータ形式が空調データ長等テーブルで照合されない場合に、指令情報送信停止部が第１情報送信部に対して未登録空気調和装置への特定指令情報の送信を停止させる。また、この空気調和システムでは、未登録空気調和装置であっても未登録空気調和装置から発信される複数種類の空調データのデータ長またはデータ形式が空調データ長等テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率を高めることができる。
【０００９】
第３発明に係る空気調和システムは、第２発明に係る空気調和システムであって、指令情報送信停止部は、情報受信部において未登録識別情報が受信され且つデータ長等照合部において未登録空気調和装置から発信される複数種類の空調データ全てのデータ長またはデータ形式が空調データ長等テーブルで照合されない場合に、第１情報送信部に対して未登録空気調和装置への特定指令情報の送信を停止させる。
【００１０】
この空気調和システムでは、情報受信部において未登録識別情報が受信され且つデータ長等照合部において未登録空気調和装置から発信される複数種類の空調データ全てのデータ長またはデータ形式が空調データ長等テーブルで照合されない場合に、指令情報送信停止部が第１情報送信部に対して未登録空気調和装置への特定指令情報の送信を停止させる。また、この空気調和システムでは、未登録空気調和装置であっても未登録空気調和装置から発信される複数種類の空調データ全てのデータ長またはデータ形式が空調データ長等テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００１１】
第４発明に係る空気調和システムは、第２発明に係る空気調和システムであって、指令情報送信停止部は、情報受信部において未登録識別情報が受信され且つデータ長等照合部において未登録空気調和装置から発信される複数種類の空調データのうち所定数以上の空調データのデータ長またはデータ形式が空調データ長等テーブルで照合されない場合に、第１情報送信部に対して未登録空気調和装置への特定指令情報の送信を停止させる。
【００１２】
この空気調和システムでは、情報受信部において未登録識別情報が受信され且つデータ長等照合部において未登録空気調和装置から発信される複数種類の空調データのうち所定数以上の空調データのデータ長またはデータ形式が空調データ長等テーブルで照合されない場合に、指令情報送信停止部が第１情報送信部に対して未登録空気調和装置への特定指令情報の送信を停止させる。また、この空気調和システムでは、未登録空気調和装置であっても未登録空気調和装置から発信される複数種類の空調データのうち所定数以上の空調データのデータ長またはデータ形式が空調データ長等テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率をさらに高めることができる。
【００１３】
第５発明に係る空気調和システムは、第１発明に係る空気調和システムであって、反応内容情報テーブル記憶部、第２情報送信部、反応検知部、および反応内容情報照合部をさらに備える。反応内容情報テーブル記憶部には、反応内容情報テーブルが記憶される。反応内容情報テーブルでは、識別情報と、識別情報に対応する空気調和装置が指令情報を受信したときの反応内容の情報とが関連付けられている。第２情報送信部は、情報受信部において未登録識別情報が受信された場合、未登録空気調和装置に対して複数種類の指令情報を送信する。反応検知部は、第２情報送信部から送信される複数種類の指令情報に対する未登録空気調和装置の反応を検知する。反応内容情報照合部は、反応検知部において検知される未登録空気調和装置の反応内容の情報を反応内容情報テーブルに照合する。そして、指令情報送信停止部は、情報受信部において未登録識別情報が受信され且つ反応内容情報照合部において複数種類の指令情報に対する未登録空気調和装置の反応内容情報が反応内容情報テーブルで照合されない場合に、第１情報送信部に対して未登録空気調和装置への特定指令情報の送信を停止させる。なお、ここにいう「照合される」という文言には、全種類の指令情報に対する反応内容情報が照合される場合、および複数種類の指令情報のうち所定数以上の指令情報に対する反応内容情報が照合される場合が含まれる。
【００１４】
この空気調和システムでは、情報受信部において未登録識別情報が受信された場合、第２情報送信部が未登録空気調和装置に対して複数種類の指令情報を送信する。次に、反応検知部が、第２情報送信部から送信される複数種類の指令情報に対する未登録空気調和装置の反応を検知する。続いて、反応内容情報照合部が、反応検知部において検知される未登録空気調和装置の反応内容の情報を反応内容情報テーブルに照合する。そして、情報受信部において未登録識別情報が受信され且つ反応内容情報照合部において複数種類の指令情報に対する未登録空気調和装置の反応内容情報が反応内容情報テーブルで照合されない場合に、指令情報送信停止部が第１情報送信部に対して未登録空気調和装置への特定指令情報の送信を停止させる。また、この空気調和システムでは、未登録空気調和装置であっても複数種類の指令情報に対する未登録空気調和装置の反応内容情報が反応内容情報テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００１５】
第６発明に係る空気調和システムは、第５発明に係る空気調和システムであって、指令情報送信停止部は、情報受信部において未登録識別情報が受信され且つ反応内容情報照合部において複数種類の指令情報に対する未登録空気調和装置の反応内容情報全てが反応内容情報テーブルで照合されない場合に、第１情報送信部に対して未登録空気調和装置への特定指令情報の送信を停止させる。
【００１６】
この空気調和システムでは、情報受信部において未登録識別情報が受信され且つ反応内容情報照合部において複数種類の指令情報に対する未登録空気調和装置の反応内容情報全てが反応内容情報テーブルで照合されない場合に、指令情報送信停止部が第１情報送信部に対して未登録空気調和装置への特定指令情報の送信を停止させる。また、この空気調和システムでは、未登録空気調和装置であっても複数種類の指令情報に対する未登録空気調和装置の反応内容情報全てが反応内容情報テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００１７】
第７発明に係る空気調和システムは、第５発明に係る空気調和システムであって、指令情報送信停止部は、情報受信部において未登録識別情報が受信され且つ反応内容情報照合部において複数種類の指令情報のうち所定数以上の指令情報に対する未登録空気調和装置の反応内容情報が反応内容情報テーブルで照合されない場合に、第１情報送信部に対して未登録空気調和装置への特定指令情報の送信を停止させる。
【００１８】
この空気調和システムでは、情報受信部において未登録識別情報が受信され且つ反応内容情報照合部において複数種類の指令情報のうち所定数以上の指令情報に対する未登録空気調和装置の反応内容情報が反応内容情報テーブルで照合されない場合に、指令情報送信停止部が第１情報送信部に対して未登録空気調和装置への特定指令情報の送信を停止させる。また、この空気調和システムでは、未登録空気調和装置であっても複数種類の指令情報のうち所定数以上の指令情報に対する未登録空気調和装置の反応内容情報が反応内容情報テーブルで照合されると、その未登録空気調和装置は特定指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００１９】
第８発明に係る空気管理装置は、情報受信部、識別情報リスト記憶部、第１情報送信部、および指令情報送信停止部を備える。情報受信部は、複数の空気調和装置から識別情報を受信する。識別情報リスト記憶部には、識別情報リストが記憶される。なお、ここにいう「識別情報リスト」とは、識別情報のリストである。第１情報送信部は、空気調和装置に対して指令情報を送信する。指令情報送信停止部は、情報受信部において未登録識別情報が受信された場合、第１情報送信部に対して未登録空気調和装置への特定指令情報の送信を停止させる。なお、ここにいう「未登録識別情報」とは、識別情報リストに存在しない識別情報である。また、ここにいう「未登録空気調和装置」とは、未登録識別情報に対応する空気調和装置である。また、ここにいう「特定指令情報」とは、指令情報のうちの特定の指令情報であって、例えば、通常運転時に発せられる指令情報などであり、機種間で相違のある指令情報などである。
【００２０】
この空調管理装置では、情報受信部において未登録識別情報が受信された場合、指令情報送信停止部が第１情報送信部に対して未登録空気調和装置への特定指令情報の送信を停止させる。このため、この空調管理装置では、機種やバージョンおよびそれらに対応する指令形式などが登録されていない空気調和装置が通信線を介して接続された場合であってもその空気調和装置が誤動作する確率を極めて低くすることができる。
【発明の効果】
【００２１】
第１発明に係る空気調和システムでは、機種やバージョンおよびそれらに対応する指令形式などが登録されていない空気調和装置が通信線を介して接続された場合であってもその空気調和装置が誤動作する確率を極めて低くすることができる。
【００２２】
第２発明に係る空気調和システムでは、未登録空気調和装置であっても未登録空気調和装置から発信される複数種類の空調データのデータ長またはデータ形式が空調データ長等テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００２３】
第３発明に係る空気調和システムでは、未登録空気調和装置であっても未登録空気調和装置から発信される複数種類の空調データ全てのデータ長またはデータ形式が空調データ長等テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００２４】
第４発明に係る空気調和システムでは、未登録空気調和装置であっても未登録空気調和装置から発信される複数種類の空調データのうち所定数以上の空調データのデータ長またはデータ形式が空調データ長等テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率をさらに高めることができる。
【００２５】
第５発明に係る空気調和システムでは、未登録空気調和装置であっても複数種類の指令情報に対する未登録空気調和装置の反応内容情報が反応内容情報テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００２６】
第６発明に係る空気調和システムでは、未登録空気調和装置であっても複数種類の指令情報に対する未登録空気調和装置の反応内容情報全てが反応内容情報テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００２７】
第７発明に係る空気調和システムでは、未登録空気調和装置であっても複数種類の指令情報のうち所定数以上の指令情報に対する未登録空気調和装置の反応内容情報が反応内容情報テーブルで照合されると、その未登録空気調和装置は指令情報送信の対象となる。このため、この空気調和システムでは、例えば、設置時に間違った機種やバージョンの空気調和装置を選択した場合であっても、その空気調和装置を問題なく運転させることができる確率を高めることができる。
【００２８】
第８発明に係る空気管理装置では、機種やバージョンおよびそれらに対応する指令形式などが登録されていない空気調和装置が通信線を介して接続された場合であってもその空気調和装置が誤動作する確率を極めて低くすることができる。
【発明を実施するための最良の形態】
【００２９】
＜空気調和システムの概略構成＞
本発明に係る空気調和システム１は、図１に示されるように、主に、複数系統のマルチ式空気調和装置６０Ａ，６０Ｂ，・・・、空調管理装置２０、および空調ネットワーク５０から構成されている。なお、この空気調和システム１において、マルチ式空気調和装置６０Ａ，６０Ｂ，・・・は空調ネットワーク５０を介して空調管理装置２０と接続されている。
【００３０】
＜マルチ式空気調和装置＞
（１）全体の概略構成
本発明に係る空気調和システム１においてマルチ式空気調和装置６０Ａ，６０Ｂ，・・・は図１に示されるように複数系統存在するが、ここでは説明の便宜上第１系統のマルチ式空気調和装置６０Ａについてのみ説明する。図１に示される第２系統のマルチ式空気調和装置６０Ｂについては、当業者であれば、第１系統のマルチ式空気調和装置６０Ａの説明を引用することにより理解可能である。
【００３１】
第１系統のマルチ式空気調和装置６０Ａは、図１および図２に示されるように、主に、室外機６１、複数の室内機６２ａ，６２ｂ，６２ｃ，６３ａ，６４ａ、および複数のワイヤードリモコン３５から構成されている。そして、室外機６１と複数の室内機６２ａ，６２ｂ，６２ｃ，６３ａ，６４ａとは、図２に示されるように、連絡配管６５を介して配管接続されている。また、室外機６１、室内機６２ａ，６２ｂ，６２ｃ，６３ａ，６４ａ、およびワイヤードリモコン３５は、相互に空調ネットワーク５０を介して接続されている。なお、本実施の形態において、符号が同一の室内機は同一機種・同一バージョンの室内機であり、符号中の数字が異なる室内機は別機種の室内機であり、符号中の小文字のアルファベット記号のみが異なる室内機はバージョンのみが異なる室内機である。以下、説明の都合上、符号６２ａの室内機を「第１機種第１バージョン室内機」と称し、符号６２ｂの室内機を「第１機種第２バージョン室内機」と称し、符号６２ｃの室内機を「第１機種第３バージョン室内機」と称し、符号６３ａの室内機を「第２機種第１バージョン室内機」と称し、符号６４ａの室内機を「第３機種第１バージョン室内機」と称する。また、ここで、第１機種第１バージョン室内機６２ａの機種情報およびバージョン情報をそれぞれ「ＦＸＹＦＰ３６Ｌ」，「１．０」とし、第１機種第２バージョン室内機６２ｂの機種情報およびバージョン情報をそれぞれ「ＦＸＹＦＰ３６Ｌ」，「２．２」とし、第１機種第３バージョン室内機６２ｃの機種情報およびバージョン情報をそれぞれ「ＦＸＹＦＰ３６Ｌ」，「３．１」とし、第２機種第１バージョン室内機６３ａの機種情報およびバージョン情報をそれぞれ「ＦＸＹＣＰ２２ＫＣ」，「１．１」とし、第３機種第１バージョン室内機６４ａの機種情報およびバージョン情報をそれぞれ「ＦＵＹＰ５０」，「１．０」とする。また、本実施の形態において、第１１室ＲＭ１１には、第１機種第１バージョン室内機６２ａ、第２機種第１バージョン室内機６３ａ、第１機種第２バージョン室内機６２ｂの計３台の室内機が配置されている。これら３台の室内機６２ａ，６２ｂ，６３ａは、空調管理装置２０および第１１室ＲＭ１１に配置されているワイヤードリモコン３５によって制御される。また、第１２室ＲＭ１２には、第１機種第３バージョン室内機６２ｃおよび第３機種第１バージョン室内機６４ａなどが配置されている。これらの室内機６２ｃ，６４ａは、空調管理装置２０および第１２室に配置されているワイヤードリモコン３５によって制御される。
【００３２】
（２）室外機の構成
室外機６１は、図２に示されるように、主に、圧縮機６１１、四路切換弁６１２、室外熱交換器６１３、室外ファン６１４、および室外制御装置６１５から構成される。
【００３３】
室外制御装置６１５は、図３に示されるように、主に、第１制御部６１５ａ、第１演算部６１５ｂ、第１記憶部６１５ｃ、および第１通信部６１５ｄから構成されており、室外制御線６１６を介して圧縮機６１１、四路切換弁６１２、および室外ファン６１４に接続されている。第１制御部６１５ａは、第１記憶部６１５ｃに記憶される制御プログラムに従って、第１演算部６１５ｂ、第１記憶部６１５ｃ、および第１通信部６１５ｄから得られる制御情報に基づいて圧縮機６１１の運転／停止制御や運転周波数制御、四路切換弁６１２の切換制御、および室外ファン６１４の運転／停止制御や回転数制御などを行う。第１演算部６１５ｂは、第１記憶部６１５ｃに記憶される演算プログラムに従って、第１記憶部６１５ｃや第１通信部６１５ｄから得られる各種情報を演算処理して規定の情報を導出し、その情報を第１制御部６１５ａや、第１記憶部６１５ｃ、第１通信部６１５ｄに送信する。第１記憶部６１５ｃには、圧縮機１１１、四路切換弁６１２、および室外ファン６１４などを制御するために必要なパラメータ情報や、室内機６２ａ，６２ｂ，６２ｃ，６３ａ，６４ａおよび空調管理装置２０などとの通信に必要なパラメータ情報、例えば、アドレス情報や、機種情報、バージョン情報などが記憶されている。第１通信部６１５ｄは、第１記憶部６１５ｃに記憶される通信プログラムに従って、室内機６２ａ，６２ｂ，６２ｃ，６３ａ，６４ａおよび空調管理装置２０などと通信を行う。
【００３４】
（３）室内機の構成
ここでは、説明の便宜上、第１機種第１バージョン室内機６２ａについてのみ説明する。他の室内機６２ｂ，６２ｃ，６３ａ，６４ａについては、当業者であれば、第１機種第１バージョン室内機６２ａの説明を引用することにより理解可能である。
【００３５】
第１機種第１バージョン室内機６２ａは、図２に示されるように、主として、電動膨張弁６２１、室内ファン６２２、室内熱交換器６２３、および室内制御装置６２４を備える。
【００３６】
室内制御装置６２４は、図４に示されるように、主に、第２制御部６２４ａ、第２演算部６２４ｂ、第２記憶部６２４ｃ、および第２通信部６２４ｄから構成されており、室内制御線６２６を介して電動膨張弁６２１および室内ファン６２２に接続されている。第２制御部６２４ａは、第２記憶部６２４ｃに記憶される制御プログラムに従って、第２演算部６２４ｂ、第２記憶部６２４ｃ、および第２通信部６２４ｄから得られる制御情報に基づいて電動膨張弁６２１の開度調節制御および室内ファン６２２の運転／停止制御や回転数制御などを行う。第２演算部６２４ｂは、第２記憶部６２４ｃに記憶される演算プログラムに従って、第２記憶部６２４ｃや第２通信部６２４ｄから得られる各種情報を演算処理して規定の情報を導出し、その情報を第２制御部６２４ａや、第２記憶部６２４ｃ、第２通信部６２４ｄに送信する。第２記憶部６２４ｃには、電動膨張弁６２１および室内ファン６２２などを制御するために必要なパラメータ情報や、室外機６１および空調管理装置２０などとの通信に必要なパラメータ情報、例えば、アドレス情報や、機種情報、バージョン情報などが記憶されている。第２通信部６２４ｄは、第２記憶部６２４ｃに記憶される通信プログラムに従って、室外機６１および空調管理装置２０などと通信を行う。
【００３７】
（４）冷媒回路の構成の動作
冷媒回路６７は、図２に示されるように、室外機６１と室内機６２ａ，６２ｂ，６２ｃ，６３ａ，６４ａとが連絡配管６５によって接続されることによって形成される。なお、本実施の形態において、この冷媒回路には、フロン系の冷媒が充填されている。そして、この冷媒回路６７において、圧縮機６１１は、吐出側が四路切換弁６１２の第１ポートに接続され、吸入側が四路切換弁６１２の第３ポートに接続される。室外熱交換器６１３は、ガス側が四路切換弁６１２の第２ポートに接続され、液側が各室内機６２ａ，６２ｂ，６２ｃ，６３ａ，６４ａの電動膨張弁６２１，６３１に接続されている。室内熱交換器６２３，６３３は、液側が電動膨張弁６２１，６３１に接続されており、ガス側が四路切換弁６１２の第４ポートに接続されている。
【００３８】
以下、冷媒回路６７の運転動作を、図２を用いて説明する。なお、この冷媒回路６７では、冷房運転および暖房運転を行うことができる。
【００３９】
（冷房運転）
冷房運転時は、四路切換弁６１２が図２の実線で示される状態、すなわち、圧縮機６１１の吐出側が室外熱交換器６１３のガス側に接続され、かつ、圧縮機６１１の吸入側が室内熱交換器６２３のガス側に接続された状態となる。
【００４０】
この冷媒回路６７の状態で、圧縮機６１１を起動すると、低温低圧のガス冷媒が、圧縮機６１１に吸入され、圧縮されて高温高圧のガス冷媒となった後、四路切換弁６１２を経由して室外熱交換器６１３に送られ、室外熱交換器６１３において凝縮され、高温高圧の液冷媒となる。
【００４１】
そして、この高温高圧の液冷媒は、各室内機６２の電動膨張弁６２１に送られる。そして、電動膨張弁６２１に送られた高温高圧の液冷媒は、減圧されて低温低圧の液冷媒となった後に各室内機６２の室内熱交換器６２３に供給され、室内空気を冷却するとともに蒸発されて低温低圧のガス冷媒となる。
【００４２】
そして、その低温低圧のガス冷媒は、四路切換弁６１２を経由して、再び、圧縮機６１１に吸入される。このようにして、冷房運転が行われる。
【００４３】
（暖房運転）
暖房運転時は、四路切換弁６１２が図２の破線で示される状態、すなわち、圧縮機６１１の吐出側が各室内機６２の室内熱交換器６２３のガス側に接続され、かつ、圧縮機６１１の吸入側が室外熱交換器６１３のガス側に接続された状態となっている。
【００４４】
この冷媒回路６７の状態で、圧縮機６１１を起動すると、低温低圧のガス冷媒が、圧縮機６１１に吸入され、圧縮されて高温高圧のガス冷媒となった後、四路切換弁６１３を経由して各室内機６２の室内熱交換器６２３に供給される。
【００４５】
そして、その高温高圧のガス冷媒は、室内熱交換器６２３において室内空気を加熱するとともに凝縮され、高温高圧の液冷媒となる。高温高圧の液冷媒は、各室内機６２の電動膨張弁６２１に送られる。電動膨張弁６２１に送られた高温高圧の液冷媒は、減圧されて低温低圧の液冷媒となった後に室外熱交換器６１３に送られて、室外熱交換器６１３において蒸発されて低温低圧のガス冷媒となる。そして、この低温低圧のガス冷媒は、四路切換弁６１２を経由して、再び、圧縮機６１１に吸入される。このようにして、暖房運転が行われる。
【００４６】
＜空調管理装置＞
（１）全体の概略構成
空調管理装置２０は、図５に示されるように、主に、第３制御部２１、第３演算部２２、第３記憶部２３、第１入力部２４、および第３通信部２５から構成されている。第３制御部２１は、第３記憶部２３に記憶される制御プログラムに従って、第３演算部２２、第３記憶部２４、および第３通信部２５から得られる制御情報に基づいて第３通信部２５を介してマルチ式空気調和装置６０Ａ，６０Ｂ，・・・の制御などを行う。第３演算部２２は、第３記憶部２３に記憶される演算プログラムに従って、第３記憶部２３や第３通信部２５から得られる各種情報を演算処理して規定の情報を導出し、その情報を第３制御部２１や、第３記憶部２３、第３通信部２５に送信する。第３記憶部２３には、マルチ式空気調和装置６０Ａ，６０Ｂ，・・・を制御するために必要なパラメータ情報やテーブル、およびマルチ式空気調和装置６０Ａ，６０Ｂ，・・・などとの通信に必要なパラメータ情報、例えば、アドレス情報や、機種情報、バージョン情報などが記憶されている。第３入力部では、監視用パラメータ情報や制御用パラメータ情報などが入力される。第３通信部２５は、第３記憶部２３に記憶される通信プログラムに従って、マルチ式空気調和装置６０Ａ，６０Ｂ，・・・などと通信を行う。
【００４７】
（２）室内機のアドレス情報、機種情報、およびバージョン情報の登録処理
ここでは、図６を用いて本発明に係る室内機のアドレス情報、機種情報、およびバージョン情報の登録処理について説明する。なお、ここでは、第１機種第１バージョン室内機６２ａおよび第３機種第１バージョン室内機６４ａの機種情報およびバージョン情報は、第１室内機データ管理テーブルＴｍｌ（図７参照）には登録されていない。
【００４８】
図６において、ステップＳ１では、第３演算部２２が、固有のアドレス情報を生成する。ステップＳ２では、第３通信部２５が、ステップＳ１で生成された固有のアドレス情報を各室内機６２ａ，６２ｂ，６２ｃ，６３ａ，６４ａに送信して、自動アドレス付与処理を行う。ステップＳ３では、第３通信部２５が、アドレス情報を用いて各室内機６２ａ，６２ｂ，６２ｃ，６３ａ，６４ａに機種情報およびバージョン情報の提供指令情報を送信する。ステップＳ４では、第３通信部２５が、室内機６２ａ，６２ｂ，６２ｃ，６３ａ，６４ａからアドレス情報と共に機種情報およびバージョン情報を受信する。ステップＳ５では、第３演算部２２が、第１室内機データ管理テーブルＴｍｌを参照して、一致する機種情報があるか否かを判定する。ステップＳ５における第３演算部２２の判定の結果、一致する機種情報がある場合、処理はステップＳ６に移る。ステップＳ５における第３演算部２２の判定の結果、一致する機種情報がない場合、処理はステップＳ８に移る。ステップＳ６では、第３演算部２２が、第１室内機データ管理テーブルＴｍｌを参照して、一致するバージョン情報があるか否かを判定する。ステップＳ６における第３演算部２２の判定の結果、一致するバージョン情報がある場合、処理はステップＳ７に移る。ステップＳ６における第３演算部２２の判定の結果、一致するバージョン情報がない場合、処理はステップＳ８に移る。ステップＳ７では、第３演算部２２が、室内機アドレス情報管理テーブルＴａ（図８参照）のアドレス情報に対応する欄に機種情報およびバージョン情報を登録する。ステップＳ８では、第３通信部２５が、ステップＳ５において機種情報が一致しなかった室内機６４ａまたはステップＳ６においてバージョン情報が一致しなかった室内機６２ａに対して第１運転データＤａ、第２運転データＤｂ、第３運転データＤｃ、第４運転データＤｄ、第５運転データＤｅ、および第６運転データＤｆの提供指令情報を送信する。ステップＳ９では、第３通信部２５が、ステップＳ５において機種情報が一致しなかった室内機６４ａまたはステップＳ６においてバージョン情報が一致しなかった室内機６２ａから第１運転データＤａ、第２運転データＤｂ、第３運転データＤｃ、第４運転データＤｄ、第５運転データＤｅ、および第６運転データＤｆを受信する。ステップＳ１０では、第３演算部２２は、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定する。ステップＳ１０における第３演算部２２の判定の結果、全種類の所定の運転データのデータ長が一致する室内機が存在する場合、処理はステップＳ１１に移る。ステップＳ１０における第３演算部２２の判定の結果、全種類の所定の運転データのデータ長が一致する室内機が存在しない場合、処理はステップＳ１２に移る。ステップＳ１１では、第３演算部２２が、室内機アドレス情報管理テーブルＴａのアドレス情報に対応する欄に、全種類の所定の運転データのデータ長が一致した室内機の機種情報・バージョン情報を登録する。ステップＳ１２では、第３演算部２２が、室内機アドレス情報管理テーブルＴａのアドレス情報に対応する欄に「未接続」という文字情報を登録する。
【００４９】
なお、本実施の形態において第１機種第１バージョン室内機６２ａおよび第３機種第１バージョン室内機６４ａの運転データＤａ，Ｄｂ，Ｄｃ，Ｄｄ，Ｄｅ，Ｄｆのデータ長が図９の通りであるとすると、室内機アドレス情報管理テーブルＴａにおける第１機種第１バージョン室内機６２ａの機種情報欄およびバージョン情報欄には、第１機種第２バージョン室内機６２ｂの機種情報およびバージョン情報がそれぞれ登録されることになり、室内機アドレス情報管理テーブルＴａにおける第３機種第１バージョン室内機６４ａの機種情報欄およびバージョン情報欄には、「未接続」の文字情報が登録されることになる。
【００５０】
（３）室内機への指令情報の送信処理
ここでは、図１０を用いて本発明に係る室内機への指令情報の送信処理について説明する。
【００５１】
図１０において、ステップＳ２１では、第３演算部２２が、第３制御部２１において生成される指令情報が一般指令情報に属するか否かを判定する。ステップＳ２１における第３演算部２２の判定の結果、第３制御部２１において生成される指令情報が一般指令情報に属する場合は、ステップＳ２２に移る。ステップＳ２１における第３演算部２２の判定の結果、第３制御部２１において生成される指令情報が一般指令情報に属しない場合は、ステップＳ２３に移る。なお、一般指令情報に属しない指令情報とは、異なる機種情報やバージョン情報の間でも共通に利用できる指令情報などであり、例えば、緊急停止指令情報など、非常に必要な指令情報である。ステップＳ２２では、第３演算部２２が、室内機アドレス情報管理テーブルＴａを参照して、一般指令情報送信先の室内機の機種情報およびバージョン情報が「未接続」情報であるか否か判定する。ステップＳ２２における第３演算部２２の判定の結果、一般指令情報送信先の室内機の機種情報およびバージョン情報が「未接続」情報でない場合、処理はステップＳ２３に移る。ステップＳ２２における第３演算部２２の判定の結果、一般指令情報送信先の室内機の機種情報およびバージョン情報が「未接続」情報である場合、処理はステップＳ２４に移る。ステップＳ２３では、第３通信部２５が、室内機に指令情報を送信する。ステップＳ２４では、第３制御部２１が、第３通信部に対して室内機への指令情報の送信を停止させる。
【００５２】
＜本発明に係る空気調和システムの特徴＞
本発明に係る空気調和システム１では、第３演算部２２が第１室内機データ管理テーブルＴｍｌを参照して受信された機種情報およびバージョン情報の両情報に一致する機種情報およびバージョン情報があるか否かを判定し、受信された機種情報およびバージョン情報の両情報が一致する機種情報およびバージョン情報がある場合に第３演算部２２が室内機アドレス情報管理テーブルＴａのアドレス情報に対応する欄に機種情報およびバージョン情報を登録し、受信された機種情報およびバージョン情報の両情報に一致する機種情報およびバージョン情報がない場合に第３通信部２５が機種情報が一致しなかった室内機６４ａまたはバージョン情報が一致しなかった室内機６２ａに対して第１運転データＤａ、第２運転データＤｂ、第３運転データＤｃ、第４運転データＤｄ、第５運転データＤｅ、および第６運転データＤｆの提供指令情報を送信し、室内機６２ａ，６４ａから第１運転データＤａ、第２運転データＤｂ、第３運転データＤｃ、第４運転データＤｄ、第５運転データＤｅ、および第６運転データＤｆを受信する。そして、第３演算部２２は第１室内機データ管理テーブルＴｍｌを参照して第１運転データＤａ、第２運転データＤｂ、第３運転データＤｃ、第４運転データＤｄ、第５運転データＤｅ、および第６運転データＤｆ全てのデータ長が一致する室内機が存在するか否かを判定し、全種類の所定の運転データのデータ長が一致する室内機が存在する場合に第３演算部２２が室内機アドレス情報管理テーブルＴａのアドレス情報に対応する欄に全種類の所定の運転データのデータ長が一致した室内機の機種情報・バージョン情報を登録し、全種類の所定の運転データのデータ長が一致する室内機が存在しない場合に第３演算部２２が室内機アドレス情報管理テーブルＴａのアドレス情報に対応する欄に「未接続」という文字情報を登録する。そして、その後、第３演算部２２が第３制御部２１において生成される指令情報が一般指令情報に属するか否かを判定し、第３制御部２１において生成される指令情報が一般指令情報に属する場合に第３演算部２２が室内機アドレス情報管理テーブルＴａを参照して一般指令情報送信先の室内機の機種情報およびバージョン情報が「未接続」情報であるか否か判定し、第３制御部２１において生成される指令情報が一般指令情報に属しない場合に第３通信部２５が室内機に指令情報を送信する。また、一般指令情報送信先の室内機の機種情報およびバージョン情報が「未接続」情報でない場合に第３通信部２５が室内機に指令情報を送信し、一般指令情報送信先の室内機の機種情報およびバージョン情報が「未接続」情報である場合に第３制御部２１が第３通信部に対して室内機への指令情報の送信を停止させる。このため、この空気調和システム１では、第１室内機データ管理テーブルＴｍｌに登録されていない室内機６２ａ，６４ａであっても全種類の運転データＤａ，Ｄｂ，Ｄｃ，Ｄｄ，Ｄｅ，Ｄｆのデータ長が第１室内機データ管理テーブルＴｍｌで照合されると、室内機６２ａ，６４ａは一般指令情報送信の対象となることができる。したがって、この空気調和システム１では、例えば、設置時に間違った機種やバージョンの室内機６２ａ，６４ａが選択された場合であっても、その室内機６２ａ，６４ａを問題なく運転させることができる確率を高めることができる。一方、この空気調和システム１では、室内機アドレス情報管理テーブルＴａに「未接続」と登録された室内機６４ａに対して一般指令情報が送信されない。このため、この空気調和システム１では、運転データＤａ，Ｄｂ，Ｄｃ，Ｄｄ，Ｄｅ，Ｄｆのデータ長が完全に異なる室内機６４ａが通信線を介して接続された場合にその室内機６４ａが誤動作する確率を極めて低くすることができる。
【００５３】
＜変形例＞
（Ａ）
先の実施の形態に係る空気調和システム１では、室内機のアドレス情報、機種情報、およびバージョン情報の登録処理においてステップＳ５で一致する機種情報がない場合あるいはステップＳ６で一致するバージョン情報がない場合に、ステップＳ１０で第３演算部２２が、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定した。このような態様に代えて、図１１に示されるように、ステップＳ５で一致する機種情報がない場合あるいはステップＳ６で一致するバージョン情報がない場合、すぐに、第３演算部２２が、室内機アドレス情報管理テーブルＴａのアドレス情報に対応する欄に「未接続」という文字情報を登録してもよい。なお、本変形例において先の実施の形態と同一のステップ符号が付されているステップでは、先の実施の形態と同一の処理が行われる。このような空気調和システムでは、機種やバージョンおよびそれらに対応する指令形式などが登録されていない室内機６２ａ，６４ａが接続された場合であってもその室内機６２ａ，６４ａが誤動作する確率を極めて低くすることができる。
【００５４】
（Ｂ）
先の実施の形態に係る空気調和システム１では、室内機のアドレス情報、機種情報、およびバージョン情報の登録処理においてステップＳ５で一致する機種情報がない場合あるいはステップＳ６で一致するバージョン情報がない場合に、ステップＳ１０で第３演算部２２が、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定した。このような態様に代えて、図１２に示されるように、ステップＳ５で一致する機種情報がない場合にのみ処理がステップＳ８に移り、ステップＳ６で一致するバージョン情報がない場合には室内機アドレス情報管理テーブルＴａにその機種の最新バージョン情報が登録されるようにしてもよい（ステップＳ３１参照）。なお、本変形例において先の実施の形態と同一のステップ符号が付されているステップでは、先の実施の形態と同一の処理が行われる。
【００５５】
（Ｃ）
先の実施の形態に係る空気調和システム１では、室内機のアドレス情報、機種情報、およびバージョン情報の登録処理においてステップＳ５で一致する機種情報がない場合あるいはステップＳ６で一致するバージョン情報がない場合に、ステップＳ１０で第３演算部２２が、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定した。このような態様に代えて、図１３に示されるように、第３演算部２２が第１室内機データ管理テーブルＴｍｌを参照して第１運転データＤａ、第２運転データＤｂ、第３運転データＤｃ、第４運転データＤｄ、第５運転データＤｅ、および第６運転データＤｆのデータ長が全一致する室内機または部分一致する室内機が存在するか否かを判定してもよい（ステップＳ３２参照）。なお、本変形例において先の実施の形態と同一のステップ符号が付されているステップでは、先の実施の形態と同一の処理が行われる。具体的には、受信された複数種類の運転データＤａ，Ｄｂ，Ｄｃ，Ｄｄ，Ｄｅ，Ｄｆのうち所定数以上、例えば、５つ以上の運転データのデータ長が、第１室内機データ管理テーブルＴｍｌに登録される同種類の運転データのデータ長に一致すればステップＳ１１に移り、そうでなければステップＳ１２に移ることになる。例えば、本変形例において第１機種第１バージョン室内機６２ａおよび第３機種第１バージョン室内機６４ａの運転データＤａ，Ｄｂ，Ｄｃ，Ｄｄ，Ｄｅ，Ｄｆのデータ長が図９の通りであるとすると、第１機種第１バージョン室内機６２ａの各種運転データＤａ，Ｄｂ，Ｄｃ，Ｄｄ，Ｄｅ，Ｄｆのデータ長は全て第１機種第２バージョン室内機６２ｂの各種運転データＤａ，Ｄｂ，Ｄｃ，Ｄｄ，Ｄｅ，Ｄｆのデータ長に一致するので室内機アドレス情報管理テーブルＴａにおける第１機種第１バージョン室内機６２ａの機種情報欄およびバージョン情報欄には第１機種第２バージョン室内機６２ｂの機種情報およびバージョン情報がそれぞれ登録されることになり、第３機種第１バージョン室内機６４ａの各種運転データＤａ，Ｄｂ，Ｄｃ，Ｄｄ，Ｄｅ，Ｄｆのうち５種類の運転データＤｂ，Ｄｃ，Ｄｄ，Ｄｅ，Ｄｆのデータ長が第２機種第１バージョン室内機６３ａの運転データＤｂ，Ｄｃ，Ｄｄ，Ｄｅ，Ｄｆのデータ長に一致するので室内機アドレス情報管理テーブルＴａにおける第３機種第１バージョン室内機６４ａの機種情報欄およびバージョン情報欄には第２機種第１バージョン室内機６３ａの機種情報およびバージョン情報がそれぞれ登録されることになる。
【００５６】
（Ｄ）
先の実施の形態に係る空気調和システム１では、室内機のアドレス情報、機種情報、およびバージョン情報の登録処理においてステップＳ５で一致する機種情報がない場合あるいはステップＳ６で一致するバージョン情報がない場合に、ステップＳ１０で第３演算部２２が、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定した。このような態様に代えて、図１４に示されるように、第３演算部２２が第２室内機データ管理テーブルＴｍｆを参照して各種運転データのデータ形式が全一致する室内機が存在するか否かを判定してもよい（ステップＳ３３参照）。なお、本変形例において先の実施の形態と同一のステップ符号が付されているステップでは、先の実施の形態と同一の処理が行われる。具体的には、受信された複数種類の運転データ全てのデータ形式が、第２室内機データ管理テーブルＴｍｆに登録される同種類の運転データのデータ形式に一致すればステップＳ１１に移り、そうでなければステップＳ１２に移ることになる。例えば、本変形例において第１機種第１バージョン室内機６２ａおよび第３機種第１バージョン室内機６４ａの運転データのデータ形式が図１６の通りであるとすると、第１機種第１バージョン室内機６２ａの各種運転データのデータ形式は全て第１機種第２バージョン室内機６２ｂの各種運転データのデータ形式に一致するので室内機アドレス情報管理テーブルＴａにおける第１機種第１バージョン室内機６２ａの機種情報欄およびバージョン情報欄には第１機種第２バージョン室内機６２ｂの機種情報およびバージョン情報がそれぞれ登録されることになり、第３機種第１バージョン室内機６４ａの各種運転データのデータ形式はいずれの室内機６２ｂ，６２ｃ，６３ａの各種運転データのデータ形式にも完全一致しないので室内機アドレス情報管理テーブルＴａにおける第３機種第１バージョン室内機６４ａの機種情報欄およびバージョン情報欄には「未接続」の文字情報が登録されることになる。
【００５７】
また、図１７に示されるように、第３演算部２２が第２室内機データ管理テーブルＴｍｆを参照して各種運転データのデータ形式が全一致する室内機または部分一致する室内機が存在するか否かを判定してもよい（ステップＳ３４参照）。なお、本変形例において先の実施の形態と同一のステップ符号が付されているステップでは、先の実施の形態と同一の処理が行われる。具体的には、受信された複数種類の運転データのうち所定数以上、例えば、５つ以上の運転データのデータ形式が、第２室内機データ管理テーブルＴｍｆに登録される同種類の運転データのデータ形式に一致すればステップＳ１１に移り、そうでなければステップＳ１２に移ることになる。例えば、本変形例において第１機種第１バージョン室内機６２ａおよび第３機種第１バージョン室内機６４ａの運転データのデータ形式が図１６の通りであるとすると、第１機種第１バージョン室内機６２ａの各種運転データのデータ形式は全て第１機種第２バージョン室内機６２ｂの各種運転データのデータ形式に一致するので室内機アドレス情報管理テーブルＴａにおける第１機種第１バージョン室内機６２ａの機種情報欄およびバージョン情報欄には第１機種第２バージョン室内機６２ｂの機種情報およびバージョン情報がそれぞれ登録されることになり、第３機種第１バージョン室内機６４ａの各種運転データのうち５種類の運転データのデータ形式が第２機種第１バージョン室内機６３ａの各種運転データのデータ形式に一致するので室内機アドレス情報管理テーブルＴａにおける第３機種第１バージョン室内機６４ａの機種情報欄およびバージョン情報欄には第２機種第１バージョン室内機６３ａの機種情報およびバージョン情報がそれぞれ登録されることになる。
【００５８】
（Ｅ）
先の実施の形態に係る空気調和システム１では、室内機のアドレス情報、機種情報、およびバージョン情報の登録処理においてステップＳ５で一致する機種情報がない場合あるいはステップＳ６で一致するバージョン情報がない場合に、ステップＳ１０で第３演算部２２が、第１室内機データ管理テーブルＴｍｌを参照して、第１運転データＤａ、第２運転データＤｂ、第３運転データＤｃ、第４運転データＤｄ、第５運転データＤｅ、および第６運転データＤｆ全てのデータ長が一致する室内機が存在するか否かを判定した。このような態様に代えて、図１８に示されるように、ステップＳ５で一致する機種情報がない場合あるいはステップＳ６で一致するバージョン情報がない場合に、第３通信部２５が、それらの室内機６２ａ，６４ａに対して指令情報を送信し（ステップＳ３５参照）、それらの室内機６２ａ，６４ａから各種運転データを収集した後に（ステップＳ３６参照）、第３演算部２２が第３室内機データ管理テーブルＴｍｒを参照して指令情報送信処理前後における各種運転データの変化態様が全一致する室内機が存在するか否かを判定してもよい（ステップＳ３７参照）。なお、本変形例において先の実施の形態と同一のステップ符号が付されているステップでは、先の実施の形態と同一の処理が行われる。具体的には、指令情報送信処理前後における各種運転データ全ての変化態様が、第３室内機データ管理テーブルＴｍｒに登録される同種類の運転データの変化態様に一致すればステップＳ１１に移り、そうでなければステップＳ１２に移ることになる。例えば、本変形例において第１機種第１バージョン室内機６２ａおよび第３機種第１バージョン室内機６４ａの指令情報送信処理前後の運転データの変化態様が図２０の通りであるとすると、第１機種第１バージョン室内機６２ａの指令情報送信処理前後の運転データの変化態様は全て第１機種第２バージョン室内機６２ｂの指令情報送信処理前後の運転データの変化態様に一致するので室内機アドレス情報管理テーブルＴａにおける第１機種第１バージョン室内機６２ａの機種情報欄およびバージョン情報欄には第１機種第２バージョン室内機６２ｂの機種情報およびバージョン情報がそれぞれ登録されることになり、第３機種第１バージョン室内機６４ａの指令情報送信処理前後の運転データの変化態様はいずれの室内機６２ｂ，６２ｃ，６３ａの指令情報送信処理前後の運転データの変化態様にも完全一致しないので室内機アドレス情報管理テーブルＴａにおける第３機種第１バージョン室内機６４ａの機種情報欄およびバージョン情報欄には「未接続」の文字情報が登録されることになる。
【００５９】
また、図２１に示されるように、第３演算部２２が第２室内機データ管理テーブルＴｍｆを参照して指令情報送信処理前後の運転データの変化態様が全一致する室内機または部分一致する室内機が存在するか否かを判定してもよい（ステップＳ３８参照）。なお、本変形例において先の実施の形態と同一のステップ符号が付されているステップでは、先の実施の形態と同一の処理が行われる。具体的には、各種運転データの指令情報送信処理前後の変化態様のうち所定数以上、例えば、５つ以上の運転データの指令情報送信処理前後の変化態様が、第２室内機データ管理テーブルＴｍｆに登録される同種類の運転データの指令情報送信処理前後の変化態様に一致すればステップＳ１１に移り、そうでなければステップＳ１２に移ることになる。例えば、本変形例において第１機種第１バージョン室内機６２ａおよび第３機種第１バージョン室内機６４ａの運転データの指令情報送信処理前後の変化態様が図２０の通りであるとすると、第１機種第１バージョン室内機６２ａの各種運転データの指令情報送信処理前後の変化態様は全て第１機種第２バージョン室内機６２ｂの各種運転データの指令情報送信処理前後の変化態様に一致するので室内機アドレス情報管理テーブルＴａにおける第１機種第１バージョン室内機６２ａの機種情報欄およびバージョン情報欄には第１機種第２バージョン室内機６２ｂの機種情報およびバージョン情報がそれぞれ登録されることになり、第３機種第１バージョン室内機６４ａの各種運転データのうち５種類の運転データの指令情報送信処理前後の変化態様が第２機種第１バージョン室内機６３ａの指令情報送信処理前後の変化態様に一致するので室内機アドレス情報管理テーブルＴａにおける第３機種第１バージョン室内機６４ａの機種情報欄およびバージョン情報欄には第２機種第１バージョン室内機６３ａの機種情報およびバージョン情報がそれぞれ登録されることになる。
【００６０】
（Ｆ）
先の実施の形態に係る空気調和システム１では、室内機のアドレス情報、機種情報、およびバージョン情報の登録処理においてステップＳ５で第３演算部２２が第１室内機データ管理テーブルＴｍｌを参照して一致する機種情報があるか否かを判定し、ステップＳ６で第３演算部２２が第１室内機データ管理テーブルＴｍｌを参照して一致するバージョン情報があるか否かを判定したが、このような態様に加えて、ステップＳ５およびステップＳ６で、第３演算部２２がさらに他の記憶媒体（例えば、コンパクトディスク等のリムーバブルディスクや情報機器の記憶部（例えば、ネットワークに接続されたパソコンのハードディスクや遠隔監視センターのサーバのハードディスクなど））を参照して一致する機種情報やバージョン情報があるか否かを判定してもよい。
【００６１】
（Ｇ）
先の実施の形態に係る空気調和システム１ではマルチ式空気調和装置６０Ａ，６０Ｂ，・・・が採用されていたが、ペア式空気調和装置や一体型空気調和装置が採用されてもよい。
【００６２】
（Ｈ）
先の実施の形態に係る空気調和システム１ではマルチ式空気調和装置６０Ａ，６０Ｂ，・・・の冷媒回路６７に冷媒としてフロン系冷媒が充填されていたが、冷媒回路６７に冷媒として二酸化炭素などの自然冷媒が充填されてもよい。
【００６３】
（Ｉ）
先の実施の形態に係る空気調和システム１では、空調管理装置２０が各室内機６２ａ，６２ｂ，６２ｃ，６３ａ，６４ａに対して自動アドレス付与を行ったが、各室内機へのアドレス付与は各室内機ごとに手動で行われてもよい。
【００６４】
（Ｊ）
先の実施の形態に係る空気調和システム１では、機種情報およびバージョン情報の両情報の登録の有無が判定されたが、機種情報の登録の有無のみが判定されてもかまわない。また、全室内機が同一機種である場合にはバージョン情報の登録の有無のみが判定されてもかまわない。
【産業上の利用可能性】
【００６５】
本発明にかかる空気調和システムでは、機種やバージョンおよびそれらに対応する指令形式などが登録されていない空気調和装置が通信線を介して接続された場合であってもその空気調和装置が誤動作する確率を極めて低くすることができるという特徴を有し、安定的な空気調和システムとして有用である。
【図面の簡単な説明】
【００６６】
【図１】本発明の実施の形態に係る空気調和システムの概略構成図である。
【図２】本発明の実施の形態に係るマルチ式空気調和装置の概略構成図である。
【図３】本発明の実施の形態に係る室外制御部の機能ブロック図である。
【図４】本発明の実施の形態に係る室内制御部の機能ブロック図である。
【図５】本発明の実施の形態に係る空調管理装置の機能ブロック図である。
【図６】本発明の実施の形態に係る空調管理装置が実行する室内機のアドレス情報、機種情報、およびバージョン情報の登録処理を表すフローチャートである。
【図７】本発明の実施の形態に係る空調管理装置に格納される室内機データ管理テーブルのイメージ図である。
【図８】本発明の実施の形態に係る空調管理装置に格納される室内機アドレス情報管理テーブルのイメージ図である。
【図９】本発明の実施の形態において室内機データ管理テーブルに機種情報およびバージョン情報の少なくともバージョン情報が登録されていない室内機の各種運転データのデータ長を示したテーブルである。
【図１０】本発明の実施の形態に係る空調管理装置が実行する室内機への指令情報の送信処理を表すフローチャートである。
【図１１】変形例（Ａ）に係る空調管理装置が実行する室内機のアドレス情報、機種情報、およびバージョン情報の登録処理を表すフローチャートである。
【図１２】変形例（Ｂ）に係る空調管理装置が実行する室内機のアドレス情報、機種情報、およびバージョン情報の登録処理を表すフローチャートである。
【図１３】変形例（Ｃ）に係る空調管理装置が実行する室内機のアドレス情報、機種情報、およびバージョン情報の登録処理を表すフローチャートである。
【図１４】変形例（Ｄ）に係る空調管理装置が実行する室内機のアドレス情報、機種情報、およびバージョン情報の登録処理を表すフローチャートである。
【図１５】変形例（Ｄ）に係る空調管理装置に格納される室内機データ管理テーブルのイメージ図である。
【図１６】変形例（Ｄ）において室内機データ管理テーブルに機種情報およびバージョン情報の少なくともバージョン情報が登録されていない室内機の各種運転データのデータ形式を示したテーブルである。
【図１７】変形例（Ｄ）に係るもう１つの空調管理装置が実行する室内機のアドレス情報、機種情報、およびバージョン情報の登録処理を表すフローチャートである。
【図１８】変形例（Ｅ）に係る空調管理装置が実行する室内機のアドレス情報、機種情報、およびバージョン情報の登録処理を表すフローチャートである。
【図１９】変形例（Ｅ）に係る空調管理装置に格納される室内機データ管理テーブルのイメージ図である。
【図２０】変形例（Ｅ）において室内機データ管理テーブルに機種情報およびバージョン情報の少なくともバージョン情報が登録されていない室内機の反応データを示したテーブルである。
【図２１】変形例（Ｅ）に係るもう１つの空調管理装置が実行する室内機のアドレス情報、機種情報、およびバージョン情報の登録処理を表すフローチャートである。
【符号の説明】
【００６７】
１      空気調和システム
２０      空調管理装置
２１      第３制御部（指令情報送信停止部）
２２      第３演算部（データ長等照合部，反応検知部，反応内容情報照合部）
２３      第３記憶部（識別情報リスト記憶部，空調データ長等テーブル記憶部，反応内容情報テーブル記憶部）
２５      第３通信部（情報受信部，第１情報送信部，第２情報送信部）
６２ａ    第１機種第１バージョン室内機（空気調和装置）
６２ｂ    第１機種第２バージョン室内機（空気調和装置）
６２ｃ    第１機種第３バージョン室内機（空気調和装置）
６３ａ    第２機種第１バージョン室内機（空気調和装置）
６４ａ    第３機種第１バージョン室内機（空気調和装置）
６２４ｃ    第２記憶部（識別情報記憶部）
Ｔａ        室内機アドレス情報管理テーブル（識別情報リスト）
Ｔｍｌ      第１室内機データ管理テーブル（空調データ長等テーブル）
Ｔｍｆ      第２室内機データ管理テーブル（空調データ長等テーブル）
Ｔｍｒ      第３室内機データ管理テーブル（反応内容情報テーブル）
【図１】
2008111604.tif 000003
【図２】
2008111604.tif 000004
【図３】
2008111604.tif 000005
【図４】
2008111604.tif 000006
【図５】
2008111604.tif 000007
【図６】
2008111604.tif 000008
【図７】
2008111604.tif 000009
【図８】
2008111604.tif 000010
【図９】
2008111604.tif 000011
【図１０】
2008111604.tif 000012
【図１１】
2008111604.tif 000013
【図１２】
2008111604.tif 000014
【図１３】
2008111604.tif 000015
【図１４】
2008111604.tif 000016
【図１５】
2008111604.tif 000017
【図１６】
2008111604.tif 000018
【図１７】
2008111604.tif 000019
【図１８】
2008111604.tif 000020
【図１９】
2008111604.tif 000021
【図２０】
2008111604.tif 000022
【図２１】
2008111604.tif 000023